(57)【要約】【課題】プライマリトラフィックのEoS帯域の増加、減少を可能とする。【解決手段】送信側ノードでLANデータをSDH/SONETフレームに多重したプライマリトラフィック、エキストラトラフィックのEoS帯を複数のパス回路でSDH/SONET伝送路に割り当て受信側ノードでSDH/SONET伝送路に割り当てられたプライマリトラフィック、エキストラトラフィックのEoS帯に対して複数のパス回路を介してSDH/SONETフレームからLANデータに分離させるSDH/SONETスイッチ部106と、送信待ちバッファ102のLANトラフィックの増減に基づき受信側ノード及び送信側ノードの双方でSDH/SONETスイッチ部のパス回路に対しプライマリトラフィックとエキストラトラフィックの間でクロスコネクトしSDH/SONET伝送路に対するプライマリトラフィックとエキストラトラフィックとの割合を増減させプライマリトラフィックのEoS帯域を増減させるセレクタ107,108とを備える。【選択図】図１
2008244768.tif 000002
【特許請求の範囲】
【請求項１】
ノード間のプライマリトラフィック及びエキストラトラフィックのＳＤＨ／ＳＯＮＥＴ伝送路に対してプライマリトラフィックのＥｏＳ帯域を制御するＥｏＳ帯域自動制御システムにおいて、
送信側ノードでＬＡＮデータをＳＤＨ／ＳＯＮＥＴフレームに多重したプライマリトラフィック、エキストラトラフィックのＥｏＳ帯域を複数のパス回路でＳＤＨ／ＳＯＮＥＴ伝送路に割り当て、受信側ノードで前記ＳＤＨ／ＳＯＮＥＴ伝送路に割り当てられたプライマリトラフィック、エキストラトラフィックのＥｏＳ帯に対して複数のパス回路を介してＳＤＨ／ＳＯＮＥＴフレームからＬＡＮデータに分離させるＳＤＨ／ＳＯＮＥＴスイッチ部と、
送信側ノードでプライマリトラフィック側のＬＡＮデータを蓄積し、ＬＡＮトラフィックの増減を判断する送信待ちバッファと、
前記送信待ちバッファでのＬＡＮトラフィックの増減に基づき、受信側ノード及び送信側ノードの双方で前記ＳＤＨ／ＳＯＮＥＴスイッチ部のパス回路に対してプライマリトラフィックとエキストラトラフィックの間でクロスコネクトし、ＳＤＨ／ＳＯＮＥＴ伝送路に対するプライマリトラフィックとエキストラトラフィックとの割合を増減させ、プライマリトラフィックのＥｏＳ帯域を増減させる制御を行うセレクタとを備えることを特徴とするＥｏＳ帯域自動制御システム。
【請求項２】
送信側ノードでは、プライマリトラフィック側から送信されるパスオーバーヘッドのＧ１バイトの８ビット目に「１」を設定し、送信されるエキストラトラフィック側のパスオーバーヘッドのＧ１バイトの８ビット目に「０」を設定し、前記送信待ちバッファがＬＡＮトラフィックの増減に応じて送信側のセレクタにより送信側ノードのプライマリトラフィック側と前記ＳＤＨ／ＳＯＮＥＴ伝送路のエキストラトラフィック側とをクロスコネクトし、クロスコネクトの解除を行うパス回路を形成してパスオーバーヘッドのＧ１バイトの８ビット目の「１」又は「０」を送信し、受信側ノードでは、受信したパスオーバーヘッドのＧ１バイトの８ビット目の「１」又は「０」に応じて、受信側のセレクタにより、前記ＳＤＨ／ＳＯＮＥＴ伝送路のエキストラトラフィック側と送信側ノードのプライマリトラフィックとをクロスコネクトし、クロスコネクトの解除を行うパス回路を形成することを特徴とする、請求項１に記載のＥｏＳ帯域自動制御システム。
【請求項３】
ＬＣＡＳの機能に基づき、前記送信待ちバッファでのＬＡＮトラフィックの増加時に、送信側ノードではプライマリトラフィック側のＶＣＧメンバーの追加を行い、エキストラトラフィック側のＶＣＧメンバーの削除を行い、受信側ノードではプライマリトラフィック側の追加を行い、エキストラトラフィック側のＶＣＧメンバーの削除を行い、前記送信待ちバッファでのＬＡＮトラフィックの減少時に、送信側ノードではプライマリトラフィック側のＶＣＧメンバーの削除を行い、エキストラトラフィック側のＶＣＧメンバーの追加を行い、受信側ノードではプライマリトラフィック側の削除を行い、エキストラトラフィック側のＶＣＧメンバーの追加を行うことを特徴とする、請求項１に記載のＥｏＳ帯域自動制御システム。
【請求項４】
前記送信側ノードは、他の送信側ノードのエキストラトラフィックを前記受信ノードに送信する場合に、前記他の送信側ノードのエキストラトラフィックに対するパス回路のクロスコネクトにより、前記送信待ちバッファでのＬＡＮトラフィックの増減に対して前記ＳＤＨ／ＳＯＮＥＴ伝送路のプライマリトラフィックのＥｏＳ帯域を増減する制御を行うことを特徴とする、請求項１に記載のＥｏＳ帯域自動制御システム。
【請求項５】
前記送信側ノードと前記受信側ノードの間のＳＤＨ／ＳＯＮＥＴ伝送路に対するプライマリトラフィックを通過させる通過パス回路、前記送信側ノードからＳＤＨ／ＳＯＮＥＴ伝送路を介してエキストラトラフィックを受信する受信パス回路、前記受信側ノードのＳＤＨ／ＳＯＮＥＴ伝送路を介してエキストラトラフィックを送信する送信パス回路を有するノードに対して、前記受信パス回路と前記送信パス回路の間のクロスコネクトを加えて、前記送信待ちバッファでのＬＡＮトラフィックの増減に対して前記ＳＤＨ／ＳＯＮＥＴ伝送路のプライマリトラフィックのＥｏＳ帯域を増減する制御を行うことを特徴とする、請求項１に記載のＥｏＳ帯域自動制御システム。
【請求項６】
ノード間のプライマリトラフィック及びエキストラトラフィックのＳＤＨ／ＳＯＮＥＴ伝送路に対してプライマリトラフィックのＥｏＳ帯域を制御するＥｏＳ帯域自動制御方法において、
送信側ノードでＬＡＮデータをＳＤＨ／ＳＯＮＥＴフレームに多重したプライマリトラフィック、エキストラトラフィックのＥｏＳ帯域を複数のパス回路でＳＤＨ／ＳＯＮＥＴ伝送路に割り当てる工程と、
受信側ノードで前記ＳＤＨ／ＳＯＮＥＴ伝送路に割り当てられたプライマリトラフィック、エキストラトラフィックに対するＥｏＳ帯に対して複数のパス回路を介してＳＤＨ／ＳＯＮＥＴフレームからＬＡＮデータに分離させる工程と、
送信側ノードでプライマリトラフィック側のＬＡＮデータを蓄積し、ＬＡＮトラフィックの増減を判断する工程と、
ＬＡＮトラフィックの増減に基づき、受信側ノード及び送信側ノードの双方でパス回路に対してプライマリトラフィックとエキストラトラフィックの間でクロスコネクトし、ＳＤＨ／ＳＯＮＥＴ伝送路に対するプライマリトラフィックとエキストラトラフィックとの割合を増減させ、プライマリトラフィックのＥｏＳ帯域を増減させる制御を行う工程とを備えることを特徴とするＥｏＳ帯域自動制御方法。
【請求項７】
ノード間のプライマリトラフィック及びエキストラトラフィックのＳＤＨ／ＳＯＮＥＴ伝送路に対してプライマリトラフィックのＥｏＳ帯域を制御するＥｏＳ帯域自動制御を実行するプログラムにおいて、
送信側ノードでＬＡＮデータをＳＤＨ／ＳＯＮＥＴフレームに多重したプライマリトラフィック、エキストラトラフィックのＥｏＳ帯域を複数のパス回路でＳＤＨ／ＳＯＮＥＴ伝送路に割り当てる手順と、
受信側ノードで前記ＳＤＨ／ＳＯＮＥＴ伝送路に割り当てられたプライマリトラフィック、エキストラトラフィックに対するＥｏＳ帯に対して複数のパス回路を介してＳＤＨ／ＳＯＮＥＴフレームからＬＡＮデータに分離させる手順と、
送信側ノードでプライマリトラフィック側のＬＡＮデータを蓄積し、ＬＡＮトラフィックの増減を判断する手順と、
ＬＡＮトラフィックの増減に基づき、受信側ノード及び送信側ノードの双方でパス回路に対してプライマリトラフィックとエキストラトラフィックの間でクロスコネクトし、ＳＤＨ／ＳＯＮＥＴ伝送路に対するプライマリトラフィックとエキストラトラフィックとの割合を増減させ、プライマリトラフィックのＥｏＳ帯域を増減させる制御を行う手順とを備えることを特徴とするＥｏＳ帯域自動制御を実行するプログラム。
【請求項８】
プライマリトラフィック及びエキストラトラフィックのＳＤＨ／ＳＯＮＥＴ伝送路に対してプライマリトラフィックのＥｏＳ帯域を制御するＥｏＳ帯域自動制御を行う送受信ノードにおいて、
プライマリトラフィック、エキストラトラフィックのＬＡＮデータを送信側でそれぞれ入力し、受信側でそれぞれ出力するＬＡＮインタフェース部と、
送信側で前記ＬＡＮインタフェース部から入力したプライマリトラフィック、エキストラトラフィックのＬＡＮデータをＳＤＨ／ＳＯＮＥＴフレームにそれぞれ多重し受信側でプライマリトラフィック、エキストラトラフィックのＳＤＨ／ＳＯＮＥＴフレームからＬＡＮデータにそれぞれ分離し前記ＬＡＮインタフェース部にそれぞれ出力する多重分離変換部と、
送信側でプライマリトラフィック側のＬＡＮデータを蓄積し、ＬＡＮトラフィックの増減を判断する送信待ちバッファと、
送信側でＳＤＨ／ＳＯＮＥＴ伝送路にプライマリトラフィック、エキストラトラフィックのＳＤＨ／ＳＯＮＥＴフレームを送信し、受信側でＳＤＨ／ＳＯＮＥＴ伝送路からプライマリトラフィック、エキストラトラフィックのＳＤＨ／ＳＯＮＥＴフレームを受信するＳＤＨ／ＳＯＮＥＴインタフェース部と、
送信側で前記多重分離変換部と前記ＳＤＨ／ＳＯＮＥＴインタフェース部の間で多重したＳＤＨ／ＳＯＮＥＴフレームのプライマリトラフィック、エキストラトラフィックのＥｏＳ帯域を複数のパス回路でＳＤＨ／ＳＯＮＥＴ伝送路に割り当て、受信側で前記ＳＤＨ／ＳＯＮＥＴインタフェース部と前記多重分離変換部との間で前記ＳＤＨ／ＳＯＮＥＴ伝送路に割り当てられたプライマリトラフィック、エキストラトラフィックのＥｏＳ帯に対して複数のパス回路でＳＤＨ／ＳＯＮＥＴフレームからＬＡＮデータに分離させるＳＤＨ／ＳＯＮＥＴスイッチ部と、
前記送信待ちバッファでのＬＡＮトラフィックの増減に基づき、受信側及び送信側の双方で前記ＳＤＨ／ＳＯＮＥＴスイッチ部のパス回路に対してプライマリトラフィックとエキストラトラフィックの間でクロスコネクトし、ＳＤＨ／ＳＯＮＥＴ伝送路に対するプライマリトラフィックとエキストラトラフィックとの割合を増減させ、プライマリトラフィックのＥｏＳ帯域を増減させるセレクタとを備えることを特徴とする送受信ノード。
【発明の詳細な説明】
【技術分野】
【０００１】
本発明はＥｏＳ（Ｅｔｈｅｒｎｅｔ（登録商標）  ｏｖｅｒ  ＳＤＨ／ＳＯＮＥＴ）伝送に関する。特に、本発明は、ＬＡＮ（Ｌｏｃａｌ  Ａｒｅａ  Ｎｅｔｗｏｒｋ）トラフィック又はＥｔｈｅｒｎｅｔ（登録商標）トラフィックに応じてＥｏＳ帯域を自動的かつ無瞬断による増減を可能にするＥｏＳ帯域自動制御システム、方法、プログラム及び送受信ノードに関する。
【背景技術】
【０００２】
本発明の前提となるポイントツーポイントのＥｏＳ伝送ネットワークでは、ノード（Ｎｏｄｅ）間でプライマリ（現用）トラフィック、エキストラ（予備）トラフィックの２つのＬＡＮデータ又はＥｔｈｅｒｎｅｔ（登録商標）データをＳＤＨ（Ｓｙｎｃｈｒｏｎｏｕｓ  Ｄｉｇｉｔａｌ  Ｈｉｅｒａｒｃｈｙ：同期デジタル階層）／ＳＯＮＥＴ（Ｓｙｎｃｈｒｏｎｏｕｓ  Ｏｐｔｉｃａｌ  Ｎｅｔｗｏｒｋ：同期光通信網）伝送路を使用して伝送する。
【０００３】
プライマリトラフィックが障害発生時に使用不可になった場合にはエキストラトラフィックに切り替えることが可能である。
さらに、ＬＣＡＳ（Ｌｉｎｋ  Ｃａｐａｃｉｔｙ  Ａｄｊｕｓｔｍｅｎｔ  Ｓｃｈｅｍｅ：リンク容量調整体系）はＩＴＵ（国際電気通信連合電気通信標準化部）−Ｇ７０４２にて標準化されたＥｏＳのための技術の一つである。ＬＣＡＳ機能を用いることで、プライマリトラフィックに対して、無瞬断によるＥｏＳ帯域増減又は障害発生メンバーの自動帯域削減、障害復旧時の自動帯域追加を実現することができる。
【０００４】
しかしながら、従来のＬＣＡＳにおいては、障害発生復旧時を除いて、ＬＡＮトラフィックに応じて、プライマリトラフィックがＳＤＨ／ＳＯＮＥＴ帯域よりも大きくなる場合には、エキストラトラフィックのＳＤＨ／ＳＯＮＥＴ帯域をプライマリトラフィックのＳＤＨ／ＳＯＮＥＴ帯域に組み込む仕組みがないため、自動的にプライマリトラフィックのＳＤＨ／ＳＯＮＥＴ帯域の増減を行うことはできず、データの廃棄、輻輳が発生するという問題があった。
【０００５】
このため、予めＳＤＨ／ＳＯＮＥＴサイドの帯域にデータの廃棄、輻輳が発生しないようにプライマリトラフィックの帯域を大きめに確保しておくか、又は常にトラフィック量をモニタし、人の手によるオペレーションでエキストラトラフィック帯域を取り込みプライマリトラフィックの帯域を増加させるしかなかった。
このような問題に関連して以下の従来技術がある。
【０００６】
従来、ネットワークの使用効率を向上させることができる通信装置およびその回線容量設定方法を提供するため、送信側の通信装置内の信号監視装置は、ＬＡＮのバッファ容量を監視しており、ＬＡＮのバッファ容量が不足し始めると、装置内の回線容量を確認し、装置内の回線容量に余裕がある場合には、信号監視装置は、ＳＯＮＥＴフレームのマッピング内容を変更して容量を増加させた後、受信側の通信装置から送り返されてくるＬＯＰを監視し、所定時間経過後にＬＯＰが送出されていないことが確認されると、容量が増加した新たなＳＯＮＥＴフレームを用いた伝送が開始されるものがある（例えば、特許文献１参照）。
【０００７】
しかしながら、上記特許文献１では、ＬＡＮのバッファ容量が不足し始めるとＳＯＮＥＴフレーム伝送の容量増加を行うが、エキストラトラフィックのＳＤＨ／ＳＯＮＥＴ帯域をプライマリトラフィックのＳＤＨ／ＳＯＮＥＴ帯域に追加して容量増加を行うものではない。
また、従来、伝送装置において、ネットワークの帯域利用効率の向上及び、上位レイヤーのスループットの向上を実現するため、複数のポートからの入力トラフィックを仮連結とリンク容量調整体系によって任意の帯域幅に設定した同期光通信網／同期デジタル階層パスに乗せて伝送する伝送装置であって、予め設定された周期で各入力ポートの1周期分の入力トラフィック量を収集し、保持する入力トラフィック量収集部と、前記入力トラフィック量収集部に保持された入力トラフィック量から各入力ポートの使用帯域を算出し、既に入力ポートに割り当てている仮想連結パス帯域との差分から仮想連結メンバーパス相当する本数分を算出し、算出済みの本数分の仮想連結メンバーパスの追加・削除コマンドを発行する帯域設定処理部と、前記帯域設定処理部により発行される仮想連結メンバーパスの追加・削除コマンドにより仮想連結を制御するリンク容量調整体系制御部を有するものもある（例えば、特許文献２参照）。
【０００８】
しかしながら、上記特許文献２では、仮想連結メンバーパスの追加・削除コマンドにより仮想連結を制御するが、エキストラトラフィックのＳＤＨ／ＳＯＮＥＴ帯域をプライマリトラフィックのＳＤＨ／ＳＯＮＥＴ帯域に追加して容量増加を行うものではない。
また、従来、ＮＭＳの制御を受けずとも送信側のノードと受信側のノードが自律的に回線容量の調整を行うことができ、回線使用頻度や重要度に適応して回線を有効利用できるため、送信側のノードＮｏｄｅＢ，Ｃ，Ｄと、受信側のノードＮｏｄｅＡにそれぞれ配置されるものであり、送信側および受信側のノードとの間でＬＣＡＳ情報ＣＰを用いてＶＣ帯域を変更する回線制御装置１において、ＬＣＡＳ情報ＣＰに、ＶＣのメンバー使用希望情報と、ＶＣのメンバー使用可能情報をさらに含んで設定して、送信側のノードＮｏｄｅＢ，Ｃ，Ｄと、受信側のノードＡとの間で前記ＶＣのメンバーの変更を行うＶＣ／ＬＣＡＳ主制御手段を備えるものもある（例えば、特許文献３参照）。
【０００９】
しかしながら、上記特許文献３では、送信側のノードと、受信側のノードとの間でＶＣのメンバーの変更を行うが、エキストラトラフィックのＳＤＨ／ＳＯＮＥＴ帯域をプライマリトラフィックのＳＤＨ／ＳＯＮＥＴ帯域に追加して容量増加を行うものではない。
【００１０】
【特許文献１】特開２００２−３６８７７４号公報
【特許文献２】特開２００５−１８４３０１号公報
【特許文献３】特開２００６−０１３５６２号公報
【発明の開示】
【発明が解決しようとする課題】
【００１１】
したがって、本発明は上記問題点に鑑みて、プライマリトラフィックのＥｏＳ増加、減少を可能とするＥｏＳ帯域自動制御システム、方法、プログラムを提供することを目的とする。
【課題を解決するための手段】
【００１２】
本発明は前記問題点を解決するために、ノード間のプライマリトラフィック及びエキストラトラフィックのＳＤＨ／ＳＯＮＥＴ伝送路に対してプライマリトラフィックのＥｏＳ帯域を制御するＥｏＳ帯域自動制御システムにおいて、送信側ノードでＬＡＮデータをＳＤＨ／ＳＯＮＥＴフレームに多重したプライマリトラフィック、エキストラトラフィックのＥｏＳ帯域を複数のパス回路でＳＤＨ／ＳＯＮＥＴ伝送路に割り当て、受信側ノードで前記ＳＤＨ／ＳＯＮＥＴ伝送路に割り当てられたプライマリトラフィック、エキストラトラフィックに対するＥｏＳ帯に対して複数のパス回路を介してＳＤＨ／ＳＯＮＥＴフレームからＬＡＮデータに分離させるＳＤＨ／ＳＯＮＥＴスイッチ部と、送信側ノードでプライマリトラフィック側のＬＡＮデータを蓄積し、ＬＡＮトラフィックの増減を判断する送信待ちバッファと、前記送信待ちバッファでのＬＡＮトラフィックの増減に基づき、受信側ノード及び送信側ノードの双方で前記ＳＤＨ／ＳＯＮＥＴスイッチ部のパス回路に対してプライマリトラフィックとエキストラトラフィックの間でクロスコネクトし、ＳＤＨ／ＳＯＮＥＴ伝送路に対するプライマリトラフィックとエキストラトラフィックとの割合を増減させ、プライマリトラフィックのＥｏＳ帯域を増減させる制御を行うセレクタとを備えることを特徴とするＥｏＳ帯域自動制御システムを提供する。
【００１３】
さらに、送信側ノードでは、プライマリトラフィック側から送信されるパスオーバーヘッドのＧ１バイトの８ビット目に「１」を設定し、送信されるエキストラトラフィック側のパスオーバーヘッドのＧ１バイトの８ビット目に「０」を設定し、前記送信待ちバッファがＬＡＮトラフィックの増減に応じて送信側のセレクタにより送信側ノードのプライマリトラフィック側と前記ＳＤＨ／ＳＯＮＥＴ伝送路のエキストラトラフィック側とをクロスコネクトし、クロスコネクトの解除を行うパス回路を形成してパスオーバーヘッドのＧ１バイトの８ビット目の「１」又は「０」を送信し、受信側ノードでは、受信したパスオーバーヘッドのＧ１バイトの８ビット目の「１」又は「０」に応じて、受信側のセレクタにより、前記ＳＤＨ／ＳＯＮＥＴ伝送路のエキストラトラフィック側と送信側ノードのプライマリトラフィックとをクロスコネクトし、クロスコネクトの解除を行うパス回路を形成する。
【００１４】
さらに、ＬＣＡＳの機能に基づき、前記送信待ちバッファでのＬＡＮトラフィックの増加時に、送信側ノードではプライマリトラフィック側のＶＣＧメンバーの追加を行い、エキストラトラフィック側のＶＣＧメンバーの削除を行い、受信側ノードではプライマリトラフィック側の追加を行い、エキストラトラフィック側のＶＣＧメンバーの削除を行い、前記送信待ちバッファでのＬＡＮトラフィックの減少時に、送信側ノードではプライマリトラフィック側のＶＣＧメンバーの削除を行い、エキストラトラフィック側のＶＣＧメンバーの追加を行い、受信側ノードではプライマリトラフィック側の削除を行い、エキストラトラフィック側のＶＣＧメンバーの追加を行う。
【００１５】
さらに、前記送信側ノードは、他の送信側ノードのエキストラトラフィックを前記受信ノードに送信する場合に、前記他の送信側ノードのエキストラトラフィックに対するパス回路のクロスコネクトにより、前記送信待ちバッファでのＬＡＮトラフィックの増減に対して前記ＳＤＨ／ＳＯＮＥＴ伝送路のプライマリトラフィックのＥｏＳ帯域を増減する制御を行う。
【００１６】
さらに、前記送信側ノードと前記受信側ノードの間のＳＤＨ／ＳＯＮＥＴ伝送路に対するプライマリトラフィックを通過させる通過パス回路、前記送信側ノードからＳＤＨ／ＳＯＮＥＴ伝送路を介してエキストラトラフィックを受信する受信パス回路、前記受信側ノードのＳＤＨ／ＳＯＮＥＴ伝送路を介してエキストラトラフィックを送信する送信パス回路を有するノードに対して、前記受信パス回路と前記送信パス回路の間のクロスコネクトを加えて、前記送信待ちバッファでのＬＡＮトラフィックの増減に対して前記ＳＤＨ／ＳＯＮＥＴ伝送路のプライマリトラフィックのＥｏＳ帯域を増減する制御を行う。
【００１７】
さらに、本発明は、ノード間のプライマリトラフィック及びエキストラトラフィックのＳＤＨ／ＳＯＮＥＴ伝送路に対してプライマリトラフィックのＥｏＳ帯域を制御するＥｏＳ帯域自動制御方法において、送信側ノードでＬＡＮデータをＳＤＨ／ＳＯＮＥＴフレームに多重したプライマリトラフィック、エキストラトラフィックのＥｏＳ帯域を複数のパス回路でＳＤＨ／ＳＯＮＥＴ伝送路に割り当てる工程と、受信側ノードで前記ＳＤＨ／ＳＯＮＥＴ伝送路に割り当てられたプライマリトラフィック、エキストラトラフィックに対するＥｏＳ帯に対して複数のパス回路を介してＳＤＨ／ＳＯＮＥＴフレームからＬＡＮデータに分離させる工程と、送信側ノードでプライマリトラフィック側のＬＡＮデータを蓄積し、ＬＡＮトラフィックの増減を判断する工程と、ＬＡＮトラフィックの増減に基づき、受信側ノード及び送信側ノードの双方でパス回路に対してプライマリトラフィックとエキストラトラフィックの間でクロスコネクトし、ＳＤＨ／ＳＯＮＥＴ伝送路に対するプライマリトラフィックとエキストラトラフィックとの割合を増減させ、プライマリトラフィックのＥｏＳ帯域を増減させる制御を行う工程とを備えることを特徴とするＥｏＳ帯域自動制御方法を提供する。
【００１８】
さらに、本発明は、ノード間のプライマリトラフィック及びエキストラトラフィックのＳＤＨ／ＳＯＮＥＴ伝送路に対してプライマリトラフィックのＥｏＳ帯域を制御するＥｏＳ帯域自動制御を実行するプログラムにおいて、送信側ノードでＬＡＮデータをＳＤＨ／ＳＯＮＥＴフレームに多重したプライマリトラフィック、エキストラトラフィックのＥｏＳ帯域を複数のパス回路でＳＤＨ／ＳＯＮＥＴ伝送路に割り当てる手順と、受信側ノードで前記ＳＤＨ／ＳＯＮＥＴ伝送路に割り当てられたプライマリトラフィック、エキストラトラフィックに対するＥｏＳ帯に対して複数のパス回路を介してＳＤＨ／ＳＯＮＥＴフレームからＬＡＮデータに分離させる手順と、送信側ノードでプライマリトラフィック側のＬＡＮデータを蓄積し、ＬＡＮトラフィックの増減を判断する手順と、ＬＡＮトラフィックの増減に基づき、受信側ノード及び送信側ノードの双方でパス回路に対してプライマリトラフィックとエキストラトラフィックの間でクロスコネクトし、ＳＤＨ／ＳＯＮＥＴ伝送路に対するプライマリトラフィックとエキストラトラフィックとの割合を増減させ、プライマリトラフィックのＥｏＳ帯域を増減させる制御を行う手順とを備えることを特徴とするＥｏＳ帯域自動制御を実行するプログラムを提供する。
【００１９】
さらに、本発明は、プライマリトラフィック及びエキストラトラフィックのＳＤＨ／ＳＯＮＥＴ伝送路に対してプライマリトラフィックのＥｏＳ帯域を制御するＥｏＳ帯域自動制御を行う送受信ノードにおいて、プライマリトラフィック、エキストラトラフィックのＬＡＮデータを送信側でそれぞれ入力し、受信側でそれぞれ出力するＬＡＮインタフェース部と、送信側で前記ＬＡＮインタフェース部から入力したプライマリトラフィック、エキストラトラフィックのＬＡＮデータをＳＤＨ／ＳＯＮＥＴフレームにそれぞれ多重し受信側でプライマリトラフィック、エキストラトラフィックのＳＤＨ／ＳＯＮＥＴフレームからＬＡＮデータにそれぞれ分離し前記ＬＡＮインタフェース部にそれぞれ出力する多重分離変換部と、送信側でプライマリトラフィック側のＬＡＮデータを蓄積し、ＬＡＮトラフィックの増減を判断する送信待ちバッファと、送信側でＳＤＨ／ＳＯＮＥＴ伝送路にプライマリトラフィック、エキストラトラフィックのＳＤＨ／ＳＯＮＥＴフレームを送信し、受信側でＳＤＨ／ＳＯＮＥＴ伝送路からプライマリトラフィック、エキストラトラフィックのＳＤＨ／ＳＯＮＥＴフレームを受信するＳＤＨ／ＳＯＮＥＴインタフェース部と、
送信側で前記多重分離変換部と前記ＳＤＨ／ＳＯＮＥＴインタフェース部の間で多重したＳＤＨ／ＳＯＮＥＴフレームのプライマリトラフィック、エキストラトラフィックのＥｏＳ帯域を複数のパス回路でＳＤＨ／ＳＯＮＥＴ伝送路に割り当て、受信側で前記ＳＤＨ／ＳＯＮＥＴインタフェース部と前記多重分離変換部との間で前記ＳＤＨ／ＳＯＮＥＴ伝送路に割り当てられたプライマリトラフィック、エキストラトラフィックのＥｏＳ帯に対して複数のパス回路でＳＤＨ／ＳＯＮＥＴフレームからＬＡＮデータに分離させるＳＤＨ／ＳＯＮＥＴスイッチ部と、前記送信待ちバッファでのＬＡＮトラフィックの増減に基づき、受信側及び送信側の双方で前記ＳＤＨ／ＳＯＮＥＴスイッチ部のパス回路に対してプライマリトラフィックとエキストラトラフィックの間でクロスコネクトし、ＳＤＨ／ＳＯＮＥＴ伝送路に対するプライマリトラフィックとエキストラトラフィックとの割合を増減させ、プライマリトラフィックのＥｏＳ帯域を増減させるセレクタとを備えることを特徴とする送受信ノードを提供する。
【発明の効果】
【００２０】
以上説明したように、本発明によれば、送信側ノードでＬＡＮデータをＳＤＨ／ＳＯＮＥＴフレームに多重したプライマリトラフィック、エキストラトラフィックのＥｏＳ帯域を複数のパス回路でＳＤＨ／ＳＯＮＥＴ伝送路に割り当て、受信側ノードでＳＤＨ／ＳＯＮＥＴ伝送路に割り当てられたプライマリトラフィック、エキストラトラフィックに対するＥｏＳ帯に対して複数のパス回路を介してＳＤＨ／ＳＯＮＥＴフレームからＬＡＮデータに分離させ、送信側ノードでプライマリトラフィック側のＬＡＮデータを蓄積し、ＬＡＮトラフィックの増減を判断させ、ＬＡＮトラフィックの増減に基づき、受信側ノード及び送信側ノードの双方でパス回路に対してプライマリトラフィックとエキストラトラフィックの間でクロスコネクトし、ＳＤＨ／ＳＯＮＥＴ伝送路に対するプライマリトラフィックとエキストラトラフィックとの割合を増減させ、プライマリトラフィックのＥｏＳ帯域を増減させる制御を行うようにしたので、ＬＡＮトラフィックに応じて自動的かつ無瞬断でＥｏＳ帯域を増加できるので、プライマリトラフィックデータの廃棄、輻輳を起こすことなく、効率的かつ確実な通信を提供することができる。
【００２１】
さらに、ＬＡＮトラフィックに応じて、一時的に帯域増加させたＥｏＳを自動的に減少せることができるので、プライマリトラフィックで使用しない場合にはエキストラトラフィックで使用することができ、より効率的に帯域を使用することができる。
パスの終端点が異なる他のノードで送信し又は送受信するエキストラトラフィックを用いてプライマリトラフィックのＥｏＳ帯域を増減することが可能になる。
【発明を実施するための最良の形態】
【００２２】
以下、本発明の実施の形態について図面を参照して説明する。
図１は本発明に係るポイントツーポイントのＥｏＳ伝送ネットワークに対するＥｏＳ帯域自動制御システムの概略構成を示す図である。
本図に示すように、ＥｏＳ（Ｅｔｈｅｒｎｅｔ（登録商標）  ｏｖｅｒ  ＳＤＨ／ＳＯＮＥＴ）帯域自動制御システム１００は、プライマリトラフィック（現用）、エキストラトラフィック（予備）の２つのＬＡＮ（Ｌｏｃａｌ  Ａｒｅａ  Ｎｅｔｗｏｒｋ）データ又はＥｔｈｅｒｎｅｔ（登録商標）データをＳＤＨ（Ｓｙｎｃｈｒｏｎｏｕｓ  Ｄｉｇｉｔａｌ  Ｈｉｅｒａｒｃｈｙ：同期デジタル階層）／ＳＯＮＥＴ（Ｓｙｎｃｈｒｏｎｏｕｓ  Ｏｐｔｉｃａｌ  Ｎｅｔｗｏｒｋ：同期光通信網）伝送路３０１を使用して、一例として、ノード（Ｎｏｄｅ）２０１からノード（Ｎｏｄｅ）２０２方向への伝送に対してＥｏＳ帯域の制御を行い、プログラムで動作する。
【００２３】
ここで、プライマリトラフィックは、通常時に、使用されるトラフィックであり、エキストラトラフィックは、プライマリトラフィック側の回線障害時に、使用されるトラフィックである。
ノード２０１は送信側（Ｓｏｕｒｃｅ：Ｓｏ）のノードであり、ノード２０２は受信側（Ｓｉｎｋ：Ｓｋ）のノードである。
【００２４】
ＳＤＨ／ＳＯＮＥＴ伝送路３０１は、ＳＤＨ／ＳＯＮＥＴフレームの伝送路であり、通常状態で、プライマリトラフィック側、エキストラトラフィック側にＶＣ（バーチャルコンテイナ）Ｎ−３ｖ（Ｎは３、４の何れでも可）によりＥｏＳ帯域が、一例として、割り当てられているとする。
ノード２０１、ノード２０２の各々には、２つの多重分離変換部１０５、ＳＤＨ／ＳＯＮＥＴスイッチ部１０６、２つのＳＤＨ／ＳＯＮＥＴインタフェース部１０３が設けられる。
【００２５】
２つの多重分離変換部１０５の各々は多重分離機能を有し、さらに、ＬＡＮインタフェース部１０１、送信待ちバッファ１０２、タイムスロット１０４を有する。
ノード２０１では、プライマリトラフィック側、エキストラトラフィック側の多重分離変換部１０５の各々はＬＡＮデータをＳＤＨ／ＳＯＮＥＴフレームに多重する。
ノード２０２では、プライマリトラフィック側、エキストラトラフィック側の多重分離変換部１０５の各々はＳＤＨ／ＳＯＮＥＴフレームをＬＡＮデータに分離する。
【００２６】
ノード２０１の２つのＬＡＮインタフェース部１０１の一方はプライマリトラフィック側のＬＡＮデータを受信し、他方は、エキストラトラフィック側のＬＡＮデータを受信する。
ノード２０２の２つのＬＡＮインタフェース部１０１の一方はプライマリトラフィック側のＬＡＮデータを送信し、他方は、エキストラトラフィック側のＬＡＮデータを送信する。
【００２７】
ノード２０１の２つのＳＤＨ／ＳＯＮＥＴインタフェース部１０３の一方はプライマリトラフィック側のＳＤＨ／ＳＯＮＥＴフレームをＳＤＨ／ＳＯＮＥＴ伝送路３０１に送信し、他方はエキストラトラフィック側のＳＤＨ／ＳＯＮＥＴフレームをＳＤＨ／ＳＯＮＥＴ伝送路３０１に送信する。
ノード２０２の２つのＳＤＨ／ＳＯＮＥＴインタフェース部１０３の一方はプライマリトラフィック側のＳＤＨ／ＳＯＮＥＴフレームをＳＤＨ／ＳＯＮＥＴ伝送路３０１から受信し、他方はエキストラトラフィック側のＳＤＨ／ＳＯＮＥＴフレームをＳＤＨ／ＳＯＮＥＴ伝送路３０１から受信する。
【００２８】
送信待ちバッファ１０２はデータメモリで構成され、各々はＬＡＮインタフェース部１０１とＳＤＨ／ＳＯＮＥＴインタフェース部１０３の間に位置し、ノード２０１のプライマリトラフィック側の多重分離変換部１０５における送信待ちバッファ１０２は、プライマリトラフィックのＬＡＮデータの送信待ちデータ量からＬＡＮトラフィックの増減を感知する。なお、ノード２０１の多重分離変換部１０５、ノード２０２の２つの多重分離変換部１０５における送信待ちバッファ１０２が感知するＬＡＮトラフィックの増減は無視する。
【００２９】
プライマリトラフィック側の多重分離変換部１０５にはタイムスロット１０４が設けられ、プライマリトラフィック側の多重分離変換部１０５のタイムスロット１０４にはｃｈ１、２、３、４が設けられる。通常状態ではｃｈ４は空きタイムスロットである。エキストラトラフィック側の多重分離変換部１０５にはタイムスロット１０４が設けられ、エキストラトラフィック側の多重分離変換部１０５のタイムスロット１０４にはｃｈ１、２、３が設けられる。
【００３０】
プライマリトラフィック側のＳＤＨ／ＳＯＮＥＴインタフェース部１０３にはタイムスロット１０４が設けられ、プライマリトラフィック側のＳＤＨ／ＳＯＮＥＴインタフェース部１０３のタイムスロット１０４にはｃｈ１、２、３が設けられ、エキストラトラフィック側のＳＤＨ／ＳＯＮＥＴインタフェース部１０３にはタイムスロット１０４が設けられ、エキストラトラフィック側のＳＤＨ／ＳＯＮＥＴインタフェース部１０３のタイムスロット１０４にはｃｈ１、２、３が設けられる。
【００３１】
ノード２０１のプライマリトラフィック側におけるＳＤＨ／ＳＯＮＥＴインタフェース部１０３のタイムスロット１０４のｃｈ１、２、３とノード２０２のプライマリトラフィック側におけるＳＤＨ／ＳＯＮＥＴインタフェース部１０３のタイムスロット１０４のｃｈ１、２、３とはＳＤＨ／ＳＯＮＥＴ伝送路３０１にそれぞれ接続される。
ノード２０２のエキストラトラフィック側におけるＳＤＨ／ＳＯＮＥＴインタフェース部１０３のタイムスロット１０４のｃｈ１、２、３とノード２０２のエキストラトラフィック側におけるＳＤＨ／ＳＯＮＥＴインタフェース部１０３のタイムスロット１０４のｃｈ１、２、３とはＳＤＨ／ＳＯＮＥＴ伝送路３０１にそれぞれ接続される。
【００３２】
送信側ノード２０１のＳＤＨ／ＳＯＮＥＴスイッチ部１０６は多重分離変換部１０５のタイムスロット１０４とＳＤＨ／ＳＯＮＥＴインタフェース部１０３のタイムスロット１０４との間で複数のパス回路を形成し、プライマリトラフィック、エキストラトラフィックをノード２０１からＳＤＨ／ＳＯＮＥＴ伝送路３０１にプライマリトラフィック側、エキストラトラフィック側にＶＣ（バーチャルコンテイナ）Ｎ−３ｖ（Ｎは３、４の何れでも可）の帯域を割り当て、プライマリトラフィックとエキストラトラフィックとの間のクロスコネクトを行ってプライマリトラフィックのＥｏＳ帯域の制御を行うためのセレクタＡ７を有する。
【００３３】
具体的には、ノード２０１のＳＤＨ／ＳＯＮＥＴスイッチ部１０６ではプライマリトラフィック側のタイムスロット１０４のｃｈ１、２、３同士が接続される複数のパス回路が形成され、エキストラトラフィック側のタイムスロット１０４のｃｈ１、２同士が接続される複数のパス回路が形成され、セレクタＡ１０７は、タイムスロットの入替によるクロスコネクトでパス回路を形成するスイッチであり、プライマリトラフィック側における多重分離変換部１０５のタイムスロット１０４のｃｈ４とエキストラトラフィック側におけるタイムスロット１０４のｃｈ３のうちどちらかを選択（通常時にはｃｈ３を選択）してエキストラトラフィック側のＳＤＨ／ＳＯＮＥＴインタフェース部１０３のタイムスロット１０４のｃｈ３にクロスコネクトするパス回路を形成する。
【００３４】
受信側ノード２０２のＳＤＨ／ＳＯＮＥＴスイッチ部１０６は多重分離変換部１０５のタイムスロット１０４とＳＤＨ／ＳＯＮＥＴインタフェース部１０３のタイムスロット１０４との間でパス回路を形成し、ＳＤＨ／ＳＯＮＥＴ伝送路３０１にＶＣ（バーチャルコンテイナ）Ｎ−３ｖ（Ｎは３、４の何れでも可）の帯域がそれぞれ割り当てられたプライマリトラフィック、エキストラトラフィックに対するＥｏＳ帯に対してパス回路を介してＬＡＮデータを分離させるセレクタＢ１０８を有する。
【００３５】
具体的には、ノード２０２のＳＤＨ／ＳＯＮＥＴスイッチ部１０６ではプライマリトラフィック側のタイムスロット１０４のｃｈ１、２、３同士が接続される複数のパス回路が形成され、エキストラトラフィック側のタイムスロット１０４のｃｈ１、２同士が接続される複数のパス回路が形成され、セレクタＢ１０８は、タイムスロットの入替によるクロスコネクトでパス回路を形成するスイッチであり、エキストラトラフィック側におけるＳＤＨ／ＳＯＮＥＴインタフェース部１０３のタイムスロット１０４のｃｈ３と、プライマリトラフィック側におけるＳＤＨ／ＳＯＮＥＴインタフェース部１０３のタイムスロット１０４のｃｈ４とエキストラトラフィック側における多重分離変換部１０５のタイムスロット１０４のｃｈ３のうちどちらかを選択（通常時にはｃｈ３を選択）してクロスコネクトするパス回路を形成する。
【００３６】
なお、ノード２０１からノード２０２にＬＡＮトラフィックを効率よく伝送するために、ＶＣＡＴ（Ｖｉｒｔｕａｌ  Ｃｏｎｃａｔｅｎａｔｉｏｎ：仮想連結）、ＬＣＡＳ（Ｌｉｎｋ  Ｃａｐａｃｉｔｙ  Ａｄｊｕｓｔｍｅｎｔ  Ｓｃｈｅｍｅ：リンク容量調整体系）技術が使用される。
図２は図１における送信待ちバッファ１０２の動作例を説明する図である。本図に示すように、送信待ちバッファ１０２は送信待ちデータ量を保持し、送信待ちバッファ１０２には帯域増加閾値、帯域減少閾値が設けられる。
【００３７】
本図（ａ）に示すように、プライマリトラフィック側の送信待ちバッファ１０２のモニタにより、ＬＡＮデータが通常状態から増加したことは感知される。
送信待ちバッファ１０２に蓄積した送信待ちデータ量が帯域増加閾値を超えることでプライマリトラフィックがＳＤＨ／ＳＯＮＥＴ側のＥｏＳ帯域よりも大きくなるとしてプライマリトラフィックのＥｏＳ帯域の増加動作を開始させる。
【００３８】
本図（ｂ）に示すように、一時的増加したプライマリトラフィック側のＬＡＮトラフィックが減少したことは、増加時と同様に、モニタされ、感知される。
送信待ちバッファ１０２のデータメモリが帯域増加閾値を下回ることでプライマリトラフィック側のＥｏＳ帯域の減少動作を開始させる。
なお、エキストラトラフィック側の送信待ちバッファ１０２は、通常状態では、帯域減少閾値を下回っているとする。ＬＡＮデータの増加に対してプライマリトラフィック側のＥＯＳ帯域の増加動作の開始にあたって、エキストラトラフィック側の送信待ちバッファ１０２が帯域減少閾値を下回っているとすることが好ましい。
【００３９】
図３はＶＣ３／ＶＣ４パスオーバーヘッドのＧ１バイトの構造を示す図である。本図に示すように、ノード２０１のプライマリトラフィック側のパスオーバーヘッドのＧ１バイトの８ビット目を使用して、送信待ちバッファ１０２のＬＡＮトラフィックの増加、減少に応じてプライマリトラフィックのＥｏＳ帯域の切り替えを行う。
すなわち、送信待ちバッファ１０２のＬＡＮトラフィックの増加に対してノード２０１のプライマリトラフィック側のパスオーバーヘッドのＧ１バイトの８ビット目は「１」を送信し、エキストラトラフィック側のパスオーバーヘッドのＧ１バイトの８ビット目は「０」を送信するようにする。
【００４０】
これに伴って、ノード２０２のセレクタＢ１０８はＧ１バイトの８ビット目の「１」を受信するとプライマリトラフィック側に切り替わり、Ｇ１バイトの８ビット目の「０」を受信するとエキストラトラフィック側に切り替わるという動作を行うようにする。
こうすることで、セレクタＡ１０７が切り替わりノード２０１はＧ１バイトの８ビット目の「１」を送信し、ノード２０２はＧ１バイトの８ビット目の「１」を受信してセレクタＢ１０８はプライマリトラフィック側へ切り替わる。このようにして、セレクタＡ１０７、セレクタＢ１０８は連動して切り替わる。
【００４１】
図４はＬＣＡＳの状態遷移を説明する図である。本図において、先ず、状態の定義を行う。
Ｓｏｕｒｃｅ  ｓｉｄｅ（ノード２０１の送信）側において、
Ｓｔａｔｅ：ＩＤＬＥは、このメンバー（帯域又はチャンネル）はＧｒｏｕｐに含まれない又は削除されようとしていることを意味し、
Ｓｔａｔｅ：ＮＯＲＭ  ｏｒ  ＥＯＳは通常送信又はＥｎｄ  ｏｆ  Ｓｅｑｕｅｎｃｅを意味し、
Ｓｔａｔｅ：ＤＮＵはＤｏ  Ｎｏｔ  Ｕｓｅ（ペイロードを使用しない）でＦａｉｌ状態を意味し、
Ｓｔａｔｅ：ＡＤＤはこのメンバーはＧｒｏｕｐに追加されようとしていることを意味し、
Ｓｔａｔｅ：ＲＥＭＯＶＥはこのメンバーはＧｒｏｕｐから削除されようとしていることを意味する。
Ｓｉｎｋ  Ｓｉｄｅ（ノード２０２の受信）側において、
Ｓｔａｔｅ：ＩＤＬＥはこのメンバーはＧｒｏｕｐに含まれない。又は削除されようとしていることを意味し、
Ｓｔａｔｅ：ＯＫはＡＤＤ、Ｎ０ＲＭ、ＥＯＳを受信した場合に送信されることを意味し、
Ｓｔａｔｅ：ＦＡＩＬは回線障害用で回線障害の場合に送信されることを意味する。
【００４２】
本図（ａ）に示すように、通常時には、プライマリトラフィック側のＶＣＧでは、ノード２０１の送信側（Ｓｏｕｒｃｅ）であるＳｏ側のタイムスロットのｃｈ１、２、３の各々はＳｔａｔｅ：ＮＯＲＭ  ｏｒ  ＥＯＳであり、タイムスロットｃｈ４はＳｔａｔｅ：ＩＤＬＥで、ＶＣＧメンバーに未追加であり、ノード２０２の受信側（Ｓｉｎｋ）であるＳｋ側のタイムスロットのｃｈ１、２、３の各々はＳｔａｔｅ：ＯＫであり、タイムスロットｃｈ４はＳｔａｔｅ：ＦＡＩＬで、ＶＣＧメンバーに追加済みである。
【００４３】
通常時には、エキストラトラフィック側のＶＣＧでは、ノード２０１のＳｏ側のタイムスロットのｃｈ１、２、３の各々はＳｔａｔｅ：ＮＯＲＭ  ｏｒ  ＥＯＳであり、ノード２０２のＳｋ側のタイムスロットのｃｈ１、２、３の各々はＳｔａｔｅ：ＯＫである。
本図（ｂ）に示すように、トラフィック増加時には、通常時と同様である帯域増加前に対して、プライマリトラフィック側のＶＣＧでは、セレクタ切替えをトリガーに自動的にＳｏ側のタイムスロットのｃｈ４を、Ｓｔａｔｅ：ＩＤＬＥからＳｔａｔｅ：ＡＤＤのように状態遷移し、ＶＣＧメンバーに追加開始し、さらに、Ｓｋ側のタイムスロットのｃｈ４はＳｔａｔｅ：ＦＡＩＬからＳｔａｔｅ：ＯＫのように状態遷移する。
【００４４】
トラフィック増加時には、通常時と同様である帯域増加前に対して、エキストラトラフィック側のＶＣＧでは、セレクタ切替えにより動作開始を行い、Ｓｋ側のｃｈ３をＳｔａｔｅ：ＯＫからＳｔａｔｅ：ＦＡＩＬのように状態遷移する。
帯域増加後には、プライマリトラフィック側のＶＣＧでは、Ｓｏ側のタイムスロットのｃｈ１、２、３、４の各々はＳｔａｔｅ：ＮＯＲＭ  ｏｒ  ＥＯＳとなり、Ｓｋ側のタイムスロットのｃｈ１、２、３、４の各々はＳｔａｔｅ：ＯＫとなる。
【００４５】
エキストラトラフィック側のＶＣＧでは、Ｓｏ側のタイムスロットのｃｈ１、２の各々はＳｔａｔｅ：ＮＯＲＭ  ｏｒ  ＥＯＳとなり、タイムスロットのｃｈ３はＳｔａｔｅ：ＤＮＵとなり、Ｓｋ側のタイムスロットのｃｈ１、２の各々はＳｔａｔｅ：ＯＫとなり、タイムスロットのｃｈ３はＳｔａｔｅ：ＦＡＩＬとなる。
本図（ｃ）に示すように、トラフィック減少時には、帯域増加後と同様である帯域減少前に対して、プライマリトラフィック側のＶＣＧでは、送信待ちバッファ１０２のデータが帯域減少閾値を下回ることをトリガーに自動的にＳｏ側のｃｈ４を、Ｓｔａｔｅ：ＮＯＲＭ  ｏｒ  ＥＯＳからＳｔａｔｅ：ＲＥＭＯＶＥのように状態遷移しＶＣＧメンバーを削除開始し、さらに、Ｓｋ側のタイムスロットのｃｈ４はＳｔａｔｅ：ＯＫからＳｔａｔｅ：ＦＡＩＬのように状態遷移する。
【００４６】
トラフィック減少時には、帯域増加後と同様である帯域減少前に対して、エキストラトラフィック側のＶＣＧでは、セレクタ切替えにより動作開始を行い、Ｓｋ側のｃｈ３をＳｔａｔｅ：ＦＡＩＬからＳｔａｔｅ：ＯＫのように状態遷移する。
帯域減少後には、プライマリトラフィック側のＶＣＧでは、Ｓｏ側のタイムスロットのｃｈ１、２、３の各々はＳｔａｔｅ：ＮＯＲＭ  ｏｒ  ＥＯＳとなり、タイムスロットのｃｈ４はＳｔａｔｅ：ＩＤＬＥとなり、Ｓｋ側のタイムスロットのｃｈ１、２、３の各々はＳｔａｔｅ：ＯＫとなり、タイムスロットのｃｈ４はＳｔａｔｅ：ＦＡＩＬとなる。
【００４７】
エキストラトラフィック側のＶＣＧでは、Ｓｏ側のタイムスロットのｃｈ１、２、３の各々はＳｔａｔｅ：ＮＯＲＭ  ｏｒ  ＥＯＳとなり、Ｓｋ側のタイムスロットのｃｈ１、２、３の各々はＳｔａｔｅ：ＯＫとなる。
図５は通常状態からプライマリトラフィックが増加した場合の動作を説明する変形例であり、本発明に係るポイントツーポイントのＥｏＳ伝送ネットワークに対するＥｏＳ帯域自動制御システムの概略構成を示す図である。
【００４８】
本図に示すように、プライマリトラフィックがＥｏＳ帯域より増加したことは、ノード２０１のプライマリトラフィック側の多重分離変換部１０５内の送信待ちバッファ１０２をモニタすることにより感知できる。送信待ちバッファ１０２内のデータメモリが帯域増加閾値を超えることでプライマリトラフィック側のＥｏＳ帯域増加動作を開始する。
まず、ノード２０１のプライマリトラフィック側における送信待ちバッファ１０２の帯域増加閾値超えをトリガーにノード２０１のパスのセレクタＡ１０７を多重分離変換部１０５のエキストラトラフィック側におけるタイムスロット１０４のｃｈ３（以下、ＥｏＳエキストラｃｈ３という）から多重分離変換部１０５のプライマリトラフィック側におけるタイムスロット１０４のｃｈ４（以下、ＥｏＳプライマリｃｈ４という）に切り替える（スイッチ）。
【００４９】
これにより、ＬＣＡＳ機能が動作して、ＥｏＳエキストラｃｈ３が自動削除され、エキストラトラフィック側のＥｏＳ帯域をＶＣＮ−３ｖからＶＣＮ−２ｖに減少させる（この時のＬＣＡＳの状態遷移については図４（ｂ）のＥｘｔｒａ  ＶＣＧを参照）。
その後、ノード２０２のパスのセレクタＢ１０８をＥｏＳエキストラｃｈ３からＥｏＳプライマリｃｈ４に切り替える（ブリッジ）。
【００５０】
次に、ノード２０１のＥｏＳプライマリｃｈ４をＥｏＳ帯域として使用できるようにＶＣＧに追加を行う。すなわち、セレクタＡ１０７、Ｂ１０８を切り替えた後、ノード２０１のＳｏ側ではＥｏＳプライマリｃｈ４をプライマリトラフィック側のＶＣＧに追加し、帯域を増加させ、プライマリトラフィック側のＥｏＳ帯域をＶＣＮ―３ｖからＶＣＮ−４ｖに増加させる。
【００５１】
このとき、ノード２０２のＳｋ側では、ＥｏＳプライマリｃｈ４を、予め、通常状態設定時に、プライマリトラフィック側のＶＣＧに登録しておく。
これにより、ノード２０１での動作だけで、ノード２０２での動作なしに、帯域を無瞬断に増加できる（このときのＬＣＡＳの状態遷移については図４（ａ）、（ｂ）を参照）
以上のように、図５のプライマリトラフィック側のＬＡＮデータの増加によって、プライマリトラフィックのＳＤＨ／ＳＯＮＥＴ伝送路３０１にエキストラトラフィック側のＳＤＨ／ＳＯＮＥＴ伝送路３０１を取り込み自動的にプライマリトラフィック側のＥｏＳ帯域を増加できる。
【００５２】
次に、送信待ちバッファ１０２内のデータメモリが帯域増加閾値を下回ることでプライマリトラフィック側のＥｏＳ帯域減少動作を開始する。
まず、ノード２０１のプライマリトラフィック側における送信待ちバッファ１０２の帯域減少閾値の下回りをトリガーにノード２０１のパスのセレクタＡ１０７を多重分離変換部１０５のプライマリトラフィック側におけるタイムスロット１０４のｃｈ４（以下、ＥｏＳプライマリｃｈ４という）から多重分離変換部１０５のエキストラトラフィック側におけるタイムスロット１０４のｃｈ３（以下、ＥｏＳエキストラｃｈ３という）に切り替える（スイッチ）。
【００５３】
これにより、ＬＣＡＳ機能が動作して、ＥｏＳプライマリｃｈ４が自動削除され、エキストラトラフィック側のＥｏＳ帯域をＶＣＮ−２ｖからＶＣＮ−３ｖに減少させ戻す（この時のＬＣＡＳの状態遷移については図４（ｃ）のＥｘｔｒａ  ＶＣＧを参照）。
その後、ノード２０２のパスのセレクタＢ１０８をＥｏＳプライマリｃｈ４からＥｏＳエキストラｃｈ３に切り替える（ブリッジ）。
【００５４】
図６は図１におけるＥｏＳ帯域自動制御システムの一連の動作であって、自動帯域追加／削除のフローチャートを示す図である。本図に示すように、
ステップ５０１において、ノード２０１のプライマリトラフィック側の送信待ちバッファ１０２のデータ量を確認する。
ステップ５０２において、上記データ量が帯域増加閾値を超えたか否かを判断する。超えていない場合にはステップ５０１に戻る。
【００５５】
ステップ５０３において、上記データ量が帯域増加閾値を超えた場合には、ノード２０１のパスのセレクタＡ１０７をエキストラトラフィック側からプライマリトラフィック側へ切り替わる（スイッチ）。
ステップ５０４において、ノード２０２のパスのセレクタＢ１０８をエキストラトラフィック側からプライマリトラフィック側へ切り替えを行う（ブリッジ）。
【００５６】
ステップ５０５において、ノード２０１、ノード２０２において、プライマリトラフィック側を通るメンバーの追加を行い、エキストラトラフィック側を通るメンバーの削減を行う。
ステップ５０６において、プライマリトラフィック帯域が増加する。
ステップ５０７において、ノード２０１のプライマリトラフィック側の送信待ちバッファ１０２のデータ量を確認する。
【００５７】
ステップ５０８において、上記データ量が帯域減少閾値を下回ったか否かを判断する。下回っていない場合にはステップ５０７に戻る。
ステップ５０９において、上記データ量が帯域減少閾値を下回った場合には、ノード２０１のパスのセレクタＡ１０７をプライマリトラフィック側からエキストラトラフィック側へ切り替えを行う（スイッチ）。
【００５８】
ステップ５１０において、ノード２０２のパスのセレクタＢ１０８をプライマリトラフィック側からエキストラトラフィック側へ切り替えを行う（ブリッジ）。
ステップ５１１において、ノード２０１、ノード２０２において、プライマリトラフィック側を通るメンバーの削減を行い、エキストラトラフィック側を通るメンバーの追加を行う。
【００５９】
ステップ５１２において、プライマリトラフィック帯域が減少する。処理を終了する。
このようにして、ＬＡＮトラフィックの増減に応じて、ＳＤＨ／ＳＯＮＥＴスイッチ部１０６のセレクタＡ１０７、セレクタＢ１０８によるパス切替を用いることにより、エキストラトラフィック用のパス回線をプライマリトラフィック用の回線として使用してプライマリトラフィック側の帯域を増減させることにより、自動的かつ無瞬断でＥｏＳ帯域を増減できるので、トラフィックデータの廃棄、輻輳を起こすことがなく、効率的かつ確実な通信を提供することができる。
【００６０】
次に、ＬＡＮトラフィックに応じて一時的に帯域増加させたＥｏＳ帯域を自動的に減少させることができるので、プライマリトラフィックで使用しない場合にはエキストラトラフィックで使用することができ、より効率的に帯域を使用することができる。
【実施例１】
【００６１】
図７は図１の第１の変形例であり、エキストラトラフィックの終端点が異なる例を示す図である。本図に示すように、図１と比較して、ノード２０１では、エキストラトラフィックのＬＡＮデータを入力する多重分離変換部１０５に代わりに、ノード２０３からノード２０１にＳＤＨ／ＳＯＮＥＴ伝送路３０１を経由してエキストラトラフィック側のＳＤＨ／ＳＯＮＥＴフレームを入力するＳＤＨ／ＳＯＮＥＴインタフェース部１０３が設けられる。ノード２０１におけるＳＤＨ／ＳＯＮＥＴスイッチ部１０６におけるセレクタＡ１０７では、多重分離変換部１０５のプライマリトラフィックのｃｈ４とエキストラトラフィックの入力側のＳＤＨ／ＳＯＮＥＴインタフェース部１０３のｃｈ３のうちどちらかを選択（通常時にはｃｈ３を選択）してエキストラトラフィックの出力側のＳＤＨ／ＳＯＮＥＴインタフェース部１０３のｃｈ３にＳＤＨ／ＳＯＮＥＴフレームにクロスコネクトするパス回路を形成する。
【００６２】
このようにして、セレクタＡ１０７、セレクタＢ１０８を用いてパス切替を行うので、パスの終端点が異なる他の送信側ノード２０３からのエキストラトラフィックを用いて、プライマリトラフィックのＥｏＳ帯域を増減することが可能になる。
【実施例２】
【００６３】
図８は図１の第２の変形例であり、エキストラトラフィックの終端点が異なる別の例を示す図である。本図に示すように、図１と比較して、ノード２０１とノード２０２の間にノード２０４が設けられ、ノード２０４はエキストラトラフィック用の２つの多重分離変換部１０５、ＳＤＨ／ＳＯＮＥＴスイッチ部１０６、４つのＳＤＨ／ＳＯＮＥＴインタフェース部１０３を有し、ノード２０４にはノード２０１からエキストラトラフィックＡが伝送され、ノード２０４からノード２０２にはエキストラトラフィックＢが伝送されるとする。
【００６４】
ＳＤＨ／ＳＯＮＥＴスイッチ部１０６は、プライマリトラフィックを入力側プライマリトラフィック用のＳＤＨ／ＳＯＮＥＴインタフェース部１０３のタイムスロット１０４から出力側プライマリトラフィック用のＳＤＨ／ＳＯＮＥＴインタフェース部１０３のタイムスロット１０４に通過させる通過パス回路、エキストラトラフィックＡを入力側エキストラトラフィック用のＳＤＨ／ＳＯＮＥＴインタフェース部１０３のタイムスロット１０４から受信側の多重分離変換部１０５のタイムスロット１０４に通過させる受信パス回路、エキストラトラフィックＢを送信側の多重分離変換部１０５のタイムスロット１０４から出力側エキストラトラフィック用のＳＤＨ／ＳＯＮＥＴインタフェース部１０３のタイムスロット１０４に通過させる送信パス回路を有する。
【００６５】
受信パス回路のセレクタＣ１０９は、入力側エキストラトラフィック用のＳＤＨ／ＳＯＮＥＴインタフェース部１０３のｃｈ３で受信したＳＤＨ／ＳＯＮＥＴフレームを、セレクタＤ１１０とエキストラトラフィックＡ側の多重分離変換部１０５のｃｈ３のうちどちらかを選択（通常時にはｃｈ３を選択）して多重分離変換部１０５にクロスコネクトする。
【００６６】
送信パス回路のセレクタＤ１１０は、セレクタＣ１０９とエキストラトラフィックＢ側の多重分離変換部１０５のｃｈ３のうちどちらかを選択（通常時にはｃｈ３を選択）して出力側エキストラトラフィック用のＳＤＨ／ＳＯＮＥＴインタフェース部１０３のｃｈ３にクロスコネクトする。
この場合、プライマリトラフィックのＬＡＮデータの増減に対して、セレクタＡ１０７、セレクタＣ１０９、セレクタＤ１１０、セレクタＢ１０８が以下のように制御される。
【００６７】
具体的には、プライマリトラフィックのＬＡＮトラフィックの増加に対して、セレクタＡ１０７をエキストラトラフィックＡ側からプライマリトラフィック側に切り替え、セレクタＣ１０９をエキストラトラフィックＡ側からセレクタＤ１１０側に切り替え、セレクタＤ１１０をエキストラトラフィックＢ側からセレクタＣ１０９側に切り替え、セレクタＢ１０８をエキストラトラフィックＢ側からプライマリトラフィック側に切り替える。
【００６８】
プライマリトラフィックのＬＡＮトラフィックの減少に対して、セレクタＡ１０７をプライマリトラフィック側からエキストラトラフィックＡ側に切り替え、セレクタＣ１０９をセレクタＤ１１０側からエキストラトラフィックＡ側に切り替え、セレクタＤ１１０をセレクタＣ１０９側からエキストラトラフィックＢ側に切り替え、セレクタＢ１０８をプライマリトラフィック側からエキストラトラフィックＢ側に切り替える。
【００６９】
このようにして、セレクタＡ１０７、セレクタＣ１０９、セレクタＤ１１０、セレクタＢ１０８を用いてパス切替を行うので、送信側ノード２０１、受信側２０２に対して、パスの終端点が異なる他のノード２０４で送受信するエキストラトラフィックを用いてプライマリトラフィックのＥｏＳ帯域を増減することが可能になる。
【実施例３】
【００７０】
以上の説明では、エキストラトラフィック側に割り当てられていたＶＣＮ―３ｖのうち１つをプライマリトラフィック側に組み込んだり戻したりしたが、送信待ちバッファ１０２に２段の帯域増加閾値を設け、ＬＡＮトラフィックの増加に応じて、プライマリトラフィック側に組み込まれる帯域をＶＣＮ―３ｖからＶＣＮ―４ｖ、ＶＣＮ―５ｖとなるようにしてもよい。
【００７１】
さらに、送信待ちバッファ１０２の帯域増加閾値を３段にして、プライマリトラフィック側に組み込まれる帯域をＶＣＮ―３ｖからＶＣＮ―４ｖ〜ＶＣＮ―６ｖとなるようにしてもよい。
【図面の簡単な説明】
【００７２】
【図１】本発明に係るポイントツーポイントのＥｏＳ伝送ネットワークに対するＥｏＳ帯域自動制御システムの概略構成を示す図である。
【図２】図１における送信待ちバッファ１０２の動作例を説明する図である。
【図３】ＶＣ３／ＶＣ４パスオーバーヘッドのＧ１バイトの構造を示す図である。
【図４】ＬＣＡＳの状態遷移を説明する図である。
【図５】通常状態からプライマリトラフィックが増加した場合の動作を説明する変形例であり、本発明に係るポイントツーポイントのＥｏＳ伝送ネットワークに対するＥｏＳ帯域自動制御システムの概略構成を示す図である。
【図６】図１におけるＥｏＳ帯域自動制御システムの一連の動作であって、自動帯域追加／削除のフローチャートを示す図である。
【図７】図１の第１の変形例であり、エキストラトラフィックの終端点が異なる例を示す図である。
【図８】図１の第２の変形例であり、エキストラトラフィックの終端点が異なる別の例を示す図である。
【符号の説明】
【００７３】
１００…ＥｏＳ帯域自動制御システム
１０１…ＬＡＮインタフェース部
１０２…送信待ちバッファ
１０３…ＳＤＨ／ＳＯＮＥＴインタフェース部
１０４…タイムスロット
１０５…多重分離変換部
１０６…ＳＤＨ／ＳＯＮＥＴスイッチ部
１０７…セレクタＡ
１０８…セレクタＢ
１０９…セレクタＣ
１１０…セレクタＤ
２０１、２０２、２０３、２０４…ノード
３０１…ＳＤＨ／ＳＯＮＥＴ伝送路
【図１】
2008244768.tif 000003
【図２】
2008244768.tif 000004
【図３】
2008244768.tif 000005
【図４】
2008244768.tif 000006
【図５】
2008244768.tif 000007
【図６】
2008244768.tif 000008
【図７】
2008244768.tif 000009
【図８】
2008244768.tif 000010